(57)【特許請求の範囲】
【請求項１】
リモートステーションからなる端末機器と、
前記リモートステーションからなる端末機器に接続されて設備の監視を行なう監視機器と、
前記リモートステーションからなる端末機器と通信する中央監視装置とを備え、
前記中央監視装置の表示装置に示されるリンク元のグラフィック画面を起点として前記リンク元のグラフィック画面上で前記監視機器の情報の表示を行ない、
かつ、前記リモートステーションからなる前記端末機器に新たに追加される前記監視機器または前記リモートステーションからなる前記端末機器から削除される前記監視機器を、前記リンク元のグラフィック画面上でのポインティングデバイス操作を用いる画面リンクアプリケーションを実行してリンク設定する設備監視システムであって、
前記画面リンクアプリケーションは、
前記リンク元のグラフィック画面上にシンボルを貼り付けるシンボル付与手段と、
前記リンク元のグラフィック画面上に貼り付けられた前記シンボルの座標を前記リンク元のグラフィック画面上で付与するシンボル座標付与手段と、
前記シンボルと、前記リンク元のグラフィック画面から呼び出されるべきリンク先のグラフィック画面とを対応させるリンク設定手段と、
前記リンク元のグラフィック画面の前記シンボルの座標付近の領域上にポインティングデバイスのカーソルを動かすことにより前記シンボルを選択して前記リンク先のグラフィック画面を開くリンク先画面呼出手段とを備え、
前記リンク先のグラフィック画面は、前記リンク元のグラフィック画面上に前記追加または削除する前記監視機器の情報を格納するデータベースの情報を示す画面である
ことを特徴とする設備監視システム。
【請求項２】
リモートステーションからなる端末機器と、
前記リモートステーションからなる端末機器に接続されて設備の監視を行なう監視機器と、
前記リモートステーションからなる端末機器と通信する中央監視装置と、
インターネットを介して前記中央監視装置と接続されたエンドユーザー用の端末機器とを備え、
前記中央監視装置の表示装置に示される総括画面を起点として前記総括画面上で前記監視機器の情報の表示を行ない、
かつ、前記中央監視装置の総括画面と同じ情報を有するリンク元のグラフィック画面を有する前記エンドユーザー用の端末機器によって、前記リモートステーションからなる前記端末機器に新たに追加される前記監視機器または前記リモートステーションからなる前記端末機器から削除される前記監視機器を、前記リンク元のグラフィック画面上でのポインティングデバイス操作を用いる画面リンクアプリケーションを実行してリンク設定する設備監視システムであって、
前記画面リンクアプリケーションは、
前記リンク元のグラフィック画面上にシンボルを貼り付けるシンボル付与手段と、
前記リンク元のグラフィック画面上に貼り付けられた前記シンボルの座標を前記リンク元のグラフィック画面上で付与するシンボル座標付与手段と、
前記シンボルと、前記リンク元のグラフィック画面から呼び出されるべきリンク先のグラフィック画面とを対応させるリンク設定手段と、
前記リンク元のグラフィック画面の前記シンボルの座標付近の領域上にポインティングデバイスのカーソルを動かすことにより前記シンボルを選択して前記リンク先のグラフィック画面を開くリンク先画面呼出手段とを備え、
前記リンク先のグラフィック画面は、前記リンク元のグラフィック画面上に前記追加または削除する前記監視機器の情報を格納するデータベースの情報を示す画面である
ことを特徴とする設備監視システム。
【請求項３】
前記シンボル座標付与手段は、前記リンク元のグラフィック画面上で前記ポインティングデバイスの操作により、前記ポインティングデバイスのカーソルの所定のイベントが行われた位置を前記シンボルの座標として検出することを特徴とする請求項１または請求項２記載の設備監視システム。
【請求項４】
前記画面リンクアプリケーションは、前記ポインティングデバイスのカーソル位置で前記所定のイベントが行なわれると、前記リンク元のグラフィック画面上の新規設定されたシンボルで示される前記監視機器の情報イベント処理を行なせ、前記リンク先のグラフィック画面を開かせることを特徴とする請求項１ないし請求項３記載のいずれかに記載の設備監視システム。
【請求項５】
前記ポインティングデバイスはマウスであることを特徴とする請求項１ないし請求項４記載のいずれかに記載の設備監視システム。
【発明の詳細な説明】
【０００１】
【発明の属する技術分野】
本発明は、ビル等の建物の空調，電気，照明等の設備を監視する設備監視システムに関し、詳しくは、表示装置上に表示されたグラフィック画面上でユーザー側でリンク設定を行なうことができる設備監視システムに関する。
【０００２】
【従来の技術】
従来より、ビル等の建物の空調，電気，照明等の設備の監視，動作制御，操作を行なう設備監視システムが稼動している。この設備監視システムとして、空調，電気，照明等の設備の監視，動作制御，操作を行なう監視機器が接続された端末機器と、端末機器にネットワークを介して接続された中央監視装置とを備えたものが知られている。
【０００３】
ネットワーク化が進展している今日、設備監視システムでは、遠隔のエンドユーザーが、設備の監視，動作制御，操作を自由に行なうことが要望されている。かかる設備監視システムは、一般に小規模向け或いは一部の機能に集約されたシステムであることが多く、中央監視装置の表示装置上で設備の監視，動作制御，操作を行なうための監視ソフトウェアの開発が必要になる。監視ソフトウェアの開発段階において、ソフトウェア開発者は、専用の開発ツールを用いて、表示装置の総括画面中にシンボルを予め固定的に配置し、シンボルから監視機器の情報や別のグラフィック画面又はその他の画面等を開く設計を行なっていた。
【０００４】
【発明が解決しようとする課題】
しかしながら、従来の設備監視システムにあっては、以下の問題があった。
中央監視装置のデータベースに格納する監視機器は、既に設置された設備に対応してあらかじめ決まっており、監視ソフトウェアの開発の後で監視機器を追加せずにデータベースの情報が変化しない場合には最初にリンク設定しておけばよい。しかし、通常は監視ソフトウェアの開発後にデータが追加，変更されることが多い。それに対応するため追加，変更の度にリンク設定しなければならない。
【０００５】
建物のフロア内で不定期に監視機器の追加，削除等の変更、或いは監視機器の設置，種類の変更に伴って、総括画面等の修正する事態が発生した場合、ソフトウェア開発者による監視ソフトウェアの再設計，再編集が必要であり、監視ソフトウェアの保守に経費と時間がかかることを余儀なくされていた。
従って、ユーザー側は、この総括画面上で任意の位置にシンボルを配置し、この追加したり変更された監視機器から監視機器等別のグラフィック画面又はその他の画面を自由に開くリンク設定を表現できず、監視機器の追加，変更に対応することが困難であった。
【０００６】
例えば、中央監視装置の表示装置に表示された総括画面から監視機器の情報等のグラフィック画面又はその他の画面等を表示する場合には、ソフトウェア開発者が従来の開発ツールを用いて監視ソフトウェアを同様に開発する必要があった。ユーザー側では、総括画面と監視機器の情報等との間でのリンク設定ができず、操作性を良くすることができなかった。
【０００７】
勿論、中央監視装置の監視ソフトウェアにリンク設定のための一般の開発ツールを組み込むことにより、ユーザー側にて、監視機器を追加した場合等にリンク設定を盛り込んだ監視ソフトウェアを開発することができる。
しかし、リンク設定のためにコンポーネント部品等を使う一般の開発用のツールを利用しようとすると、次の問題があった。すなわち、リンク設定のために、ユーザー側にて一旦開いた総括画面を閉じ、何らかの開発用のツールを立ち上げ、プログラム或いはスクリプトを新たに組んで、リンク設定を行なう必要がある。従って、開いた総括画面からのリンク設定のためのウインドウ操作回数が多くなり、リンク設定の際の操作性が悪くなってしまう。
【０００８】
本発明は、上述の問題点を解決するためになされたもので、その目的は、ユーザー側にて、表示装置上に表示されたリンク元のグラフィック画面とリンク先のグラフィック画面との間のリンク設定が簡単にでき、監視ソフトウェアの操作性を良くすることができる設備監視システムを提供することである。
【０００９】
【課題を解決するための手段】
請求項１記載の発明は、リモートステーションからなる端末機器と、前記リモートステーションからなる端末機器に接続されて設備の監視を行なう監視機器と、前記リモートステーションからなる端末機器と通信する中央監視装置とを備え、前記中央監視装置の表示装置に示されるリンク元のグラフィック画面を起点として前記リンク元のグラフィック画面上で前記監視機器の情報の表示を行ない、かつ、前記リモートステーションからなる前記端末機器に新たに追加される前記監視機器または前記リモートステーションからなる前記端末機器から削除される前記監視機器を、前記リンク元のグラフィック画面上でのポインティングデバイス操作を用いる画面リンクアプリケーションを実行してリンク設定する設備監視システムであって、前記画面リンクアプリケーションは、前記リンク元のグラフィック画面上にシンボルを貼り付けるシンボル付与手段と、前記リンク元のグラフィック画面上に貼り付けられた前記シンボルの座標を前記リンク元のグラフィック画面上で付与するシンボル座標付与手段と、前記シンボルと、前記リンク元のグラフィック画面から呼び出されるべきリンク先のグラフィック画面とを対応させるリンク設定手段と、前記リンク元のグラフィック画面の前記シンボルの座標付近の領域上にポインティングデバイスのカーソルを動かすことにより前記シンボルを選択して前記リンク先のグラフィック画面を開くリンク先画面呼出手段とを備え、前記リンク先のグラフィック画面は、前記リンク元のグラフィック画面上に前記追加または削除する前記監視機器の情報を格納するデータベースの情報を示す画面であることを特徴とする。
【００１０】
請求項２記載の発明は、リモートステーションからなる端末機器と、前記リモートステーションからなる端末機器に接続されて設備の監視を行なう監視機器と、前記リモートステーションからなる端末機器と通信する中央監視装置と、インターネットを介して前記中央監視装置と接続されたエンドユーザー用の端末機器とを備え、前記中央監視装置の表示装置に示される総括画面を起点として前記総括画面上で前記監視機器の情報の表示を行ない、かつ、前記中央監視装置の総括画面と同じ情報を有するリンク元のグラフィック画面を有する前記エンドユーザー用の端末機器によって、前記リモートステーションからなる前記端末機器に新たに追加される前記監視機器または前記リモートステーションからなる前記端末機器から削除される前記監視機器を、前記リンク元のグラフィック画面上でのポインティングデバイス操作を用いる画面リンクアプリケーションを実行してリンク設定する設備監視システムであって、前記画面リンクアプリケーションは、前記リンク元のグラフィック画面上にシンボルを貼り付けるシンボル付与手段と、前記リンク元のグラフィック画面上に貼り付けられた前記シンボルの座標を前記リンク元のグラフィック画面上で付与するシンボル座標付与手段と、前記シンボルと、前記リンク元のグラフィック画面から呼び出されるべきリンク先のグラフィック画面とを対応させるリンク設定手段と、前記リンク元のグラフィック画面の前記シンボルの座標付近の領域上にポインティングデバイスのカーソルを動かすことにより前記シンボルを選択して前記リンク先のグラフィック画面を開くリンク先画面呼出手段とを備え、前記リンク先のグラフィック画面は、前記リンク元のグラフィック画面上に前記追加または削除する前記監視機器の情報を格納するデータベースの情報を示す画面であることを特徴とする。
【００１１】
請求項３記載の発明は、請求項１または請求項２記載の設備監視システムにおいて、前記シンボル座標付与手段は、前記リンク元のグラフィック画面上で前記ポインティングデバイスの操作により、前記ポインティングデバイスのカーソルの所定のイベントが行われた位置を前記シンボルの座標として検出することを特徴とする。
請求項４記載の発明は、請求項１ないし請求項３記載のいずれかに記載の設備監視システムにおいて、前記画面リンクアプリケーションは、前記ポインティングデバイスのカーソル位置で前記所定のイベントが行なわれると、前記リンク元のグラフィック画面上の新規設定されたシンボルで示される前記監視機器の情報イベント処理を行なせ、前記リンク先のグラフィック画面を開かせることを特徴とする。
【００１２】
請求項５記載の発明は、請求項１ないし請求項４記載のいずれかに記載の設備監視システムにおいて、前記ポインティングデバイスはマウスであることを特徴とする。
【００１３】
（作用）
請求項１ないし請求項５記載の発明においては、例えば、リモートステーションからなる端末機器と中央監視装置はネットワークを介して接続され、通信される。
【００１４】
設備は中央監視装置から端末機器，ネットワークを介して監視，動作制御，操作される。また、端末機器から、設備をネットワークを介して監視，動作制御，操作することもできる。
中央監視装置または端末機器にリンク元のグラフィック画面が表示される。リンク元のグラフィック画面を起点として、情報の表示を行なうことにより、設備の監視が行なわれる。
【００１５】
リンク元のグラフィック画面からリンク先のグラフィック画面を開こうとする場合、以下の如く行なわれる。
先ず、シンボル付与手段により、リンク元のグラフィック画面上にシンボルが貼り付けられる。
シンボル座標付与手段により、リンク元のグラフィック画面上に貼り付けられたシンボルの座標がリンク元のグラフィック画面上で付与される。
【００１６】
リンク設定手段により、シンボルと、リンク元のグラフィック画面から呼び出されるべきリンク先のグラフィック画面とが対応される。これにより、シンボルとリンク先のグラフィック画面とが対応した１つのオブジェクトが生成される。
リンク先画面呼出手段により、前記シンボル座標検出手段により決められた前記シンボルの座標付近の領域上にポインティングデバイスのカーソルを動かすことにより、イベントが発生する。このイベントが前記オブジェクトに働きかけられ、イベント処理が行なわれ、リンク先のグラフィック画面が開かれる。
【００１７】
請求項１ないし請求項５記載の発明においては、リンク先のグラフィック画面は、監視機器の情報を格納したデータベースの情報を示す画面であるので、リンク元のグラフィック画面から、簡単に監視機器の情報が開かれる。
請求項３記載の発明においては、リンク元のグラフィック画面上で貼り付けられたシンボルの座標は、リンク元のグラフィック画面上でポインティングデバイスのカーソルを動かすことにより自動的に検出される。
【００１８】
請求項４記載の発明においては、画面リンクアプリケーションは、ポインティングデバイスのカーソル位置で所定のイベントが行なわれたことで、リンク元のグラフィック画面上の新規設定されたシンボルで示される監視機器の情報イベント処理を行なわせ、リンク先のグラフィック画面を開かせる。
【００１９】
【発明の実施の形態】
以下、図面により本発明の実施の形態について説明する。
図１ないし図２１により、請求項１ないし請求項５に係る設備監視システムの一実施の形態について説明する。
図１において、設備監視システム１は、リモートステーションからなる複数（本実施の形態では２個）の第１，第２の端末機器２，３と、エンドユーザー用の端末機器１Ｂと、第１，第２の端末機器２，３に接続されたＬＡＮからなるネットワーク４を介して接続されるともにエンドユーザー用の端末機器１Ｂにインターネット１Ａを介して接続された中央監視装置５とで構成されている。
【００２０】
第１の端末機器２には、複数（本実施の形態では２個）の監視機器６Ａ，・・・６Ｎが既に接続されている。第２の端末機器３には、監視機器７Ａが既に接続されている。監視機器６Ａ，・・・６Ｎ，７Ａは、例えば、センサーやコントローラからなる。監視機器６Ａ，・・・６Ｎに空調，電気，照明等の設備２Ａ，・・・２Ｎが接続されている。
【００２１】
監視機器７Ａは、例えば、センサーやコントローラからなり、これに空調，電気，照明等の設備３Ａが接続されている。
第１，第２の端末機器２，３は、ＬＡＮからなるネットワーク４を介して接続されている。第１，第２の端末機器２，３は、監視機器６Ａ，・・・６Ｎ，７Ａを介して設備２Ａ，・・・２Ｎ，３Ａの監視，動作制御，操作を行なうことができる。
【００２２】
監視機器６Ａ，・・・６Ｎ，７Ａには、設備２Ａ，・・・２Ｎ，３Ａの状態（例えば圧力，温度等の計測値）が検出され、監視機器６Ａ，・・・６Ｎ，７Ａの状態は、該監視機器６Ａ，・・・６Ｎ，７Ａから第１，第２の端末機器２，３を介して中央監視装置５に送られるようになっている。また、中央監視装置５からの指令で、第１，第２の端末機器２，３を介して監視機器６Ａ，・・・６Ｎ，７Ａに設備２Ａ，・・・２Ｎ，３Ａ等の運転停止や自動計測等の制御の指令が送られるようになっている。すなわち、中央監視装置５は、第１，第２の端末機器２，３及び監視機器６Ａ，・・・６Ｎ，７Ａを介して設備２Ａ，・・・２Ｎ，３Ａの監視，動作制御，操作を行なう。
【００２３】
また、端末機器１Ｂは、表示装置（図示せず）を有してブラウザを搭載したパーソナルコンピュータからなり、エンドユーザーが端末機器１Ｂ，インターネット１Ａを介して中央監視装置５を操作できるようになっている。
そして、図３に示すように、中央監視装置５のハードウェア５Ａとしてコンピュータが用いられている。ハードウェア５Ａは、ＣＰＵ５Ｂと、メモリ５Ｃと、ハードディスク装置５Ｄと、フロッピィディスク装置５Ｅと、表示装置５Ｆと、マウス５Ｇからなるポインティングデバイス，ネットワークインターフェース基板５Ｈ等を有し、ネットワークインターフェース基板５Ｈを介してネットワーク４に接続されている。メモリ５Ｃには、大容量のグラフィック画面を扱うため、大容量のものが搭載されている。
【００２４】
また、図４に示すように、ハードディスク装置５Ｄには、例えば、オペレーティングシステムとしてのウィンドウシステム６，システム関数群からなるウィンドウズ（登録商標）ＡＰＩ７，ブラウザ８，監視総合アプリケーション９が格納されている。
ブラウザ８は、ウィンドウシステム６上で実行されるアプリケーションであり、インターネットやネットワーク４上でホームページ等のアクセス及び表示に用いられる。
【００２５】
監視総合アプリケーション９は、
▲１▼データベース管理アプリケーション１０と、
▲２▼画面リンクアプリケーション１１とを含んでおり、各監視機器６Ａ，・・・６Ｎ，７Ａを介して、設備２Ａ，・・・２Ｎ，３Ａの監視，動作制御（運転，停止等），操作を行なう。監視総合アプリケーション９は、ウィンドウズＡＰＩ７，ブラウザ８とアクセスしつつ、ブラウザ８により表示装置５Ｆ上に表示されたグラフィックの総括画面１２（図１３に図示）上で、第１，第２の端末機器２，３，監視機器６Ａ，・・・６Ｎ，７Ａを介して、設備２Ａ，・・・２Ｎ，３Ａの監視，動作制御（運転，停止等），操作を行なうとともに、監視機器６Ａ，・・・６Ｎ，７Ａからの情報（温度，圧力等）を受ける。
【００２６】
データベース管理アプリケーション１０は、ハードディスク装置５Ｄに格納されたデータベース１３（図１２に図示））に対して、入力，更新，検索，閲覧等のプログラムを起動し、監視機器６Ａ，・・・６Ｎ，７Ａを管理するもので、新しい監視機器が追加された場合には、それを反映して更新される。本実施の形態においては、監視機器７Ｎ（図１で点線で示す）を第２の端末機器３に追加した場合を例に挙げて説明する。
【００２７】
データベース１３は、監視機器のデータをフィールドとレコードとからなる２次元のテーブルに書き込んだもので、例えば図１２に示される。図において、フィールドには、ポイントNo.，機器名称，機器記号等が順に並んで書き込まれている。レコードには、フィールドに対応する監視機器の１件１件のデータ（６Ａ，・・・６Ｎ，７Ａ）が書き込まれている。この段階では、監視機器７Ｎは書き込まれていない。
【００２８】
そして、監視総合アプリケーション９の開発段階において、中央監視装置５では、専用の開発ツールを用いて、総括画面１２内の定められた位置に、シンボル１４，１５，１６等が例えば監視機器６Ａ，・・・６Ｎをそれぞれ表すものとして事前に配置されている。総括画面１２上で、シンボル１４，１５，１６として事前に配置された監視機器から別のグラフィック画面又はその他の画面等が開かれて表示される。監視機器６Ａ，・・・６Ｎによる設備２Ａ，・・・２Ｎ，３Ａの監視，動作制御（運転，停止等），操作を総括画面１２を起点として行なうアプリケーションが監視総合アプリケーション９に組み込まれている。
【００２９】
第２の端末機器３に監視機器７Ｎを追加する場合、既存のアプリケーションの機能を補なうために、ユーザー側にて操作できる画面リンクアプリケーション１１が組み込まれ、ユーザー側での操作を可能にしている。
画面リンクアプリケーション１１は、開発ツールをそのまま用いることなく、イベント駆動型言語で書かれ、リンク元のグラフィック画面２１（拡張子がビットマップの画面）とリンク先のグラフィック画面２３（図２に図示し、拡張子がビットマップの画面）と関連付け、リンク元のグラフィック画面２１からリンク先のグラフィック画面２３を開くもので、例えばウィンドウズＡＰＩ７をコンポーネント部品として、ウィンドウズＡＰＩ７，ブラウザ８とアクセスしつつ、実行される。本実施の形態では、リンク元のグラフィック画面２１の例として、総括画面１２を挙げ、監視機器７Ｎが第２の端子装置３に追加された場合（例えば図１２）、リンク元のグラフィック画面２１である総括画面１２上からリンク先のグラフィック画面２３（ビットマップで描かれた監視機器７Ｎの情報）をマウス５Ｇにより開く場合のリンク操作について説明する。
【００３０】
ユーザー側にてリンク設定する場合には、画面リンクアプリケーション１１が実行される。画面リンクアプリケーション１１について図２，図５により説明する。
図２は画面リンクアプリケーションの模式図を示す。
図５は画面リンクアプリケーションの動作を説明するためのフローチャートの一例を示す。
【００３１】
図２において、画面リンクアプリケーション１１は、シンボル付与手段１７と、データベースリンク手段１０Ａと、シンボル座標付与手段１８と、リンク設定手段１９と、リンク先画面呼出手段２０とを含んでいる。
シンボル付与手段１７はリンク元のグラフィック画面２１（本実施の形態では総括画面１２に相当する）上に新しいシンボル２２を貼り付ける。
【００３２】
データベースリンク手段１０Ａは新しいシンボル２２とデータベース１３に格納された監視機器７Ｎの情報を関連付ける。
シンボル座標付与手段１８は、リンク元のグラフィック画面２１上に貼り付けられた新しいシンボル２２の座標２２Ａをリンク元のグラフィック画面２１上で付与する。
【００３３】
リンク設定手段１９は新しいシンボル２２と、リンク元のグラフィック画面２１から呼び出されるべきリンク先のグラフィック画面２３とを対応させる。これにより、新しいシンボルとリンク先のグラフィック画面２３とが対応してなる１つのオブジェクト２４が生成される。
リンク先画面呼出手段２０は、シンボル座標付与手段１８により決められたシンボル２２の座標２２Ａ付近の領域上にマウス５Ｇを動かすことにより、イベント（マウスイベント）が発生する。なお、シンボル２２の座標２２Ａ付近の領域とは、シンボル２２の領域のみならず、シンボル２２の周辺の領域をも含む。リンク元のグラフィック画面２１でマウス５Ｇの左ボタンから手が離された時のイベントで現在のマウス５Ｇの座標を新しいシンボル２２の座標２２Ａとして検出することにより行なわれる。
【００３４】
このイベント（マウスイベント）が前記オブジェクト２４に働きかけ、イベント処理が行なわれ、リンク先のグラフィック画面２３が開かれる。
そして、画面リンクアプリケーション１１は、例えば図５のフローチャートに示す手順により実行される。
ステップＳ１において、ユーザーにより追加された監視機器７Ｎが第２の端子機器３，ネットワーク４を介してデータベース１３に登録される。
【００３５】
ステップＳ２において、ユーザーによりリンク元のグラフィック画面２１に監視機器７Ｎを示すシンボル２２が貼り付けられる。
ステップＳ３において、画面リンクアプリケーション１１により、シンボル２２とデータベース１３の監視機器７Ｎが関連付けられる。この結果は、例えばデータベース１３に格納される。
【００３６】
ステップＳ４において、ユーザーによりシンボル２２の座標２２Ａがリンク元のグラフィック画面２１上でマウス５Ｇを動かして自動的に検出することにより或いはユーザーの手入力により付与される。
ステップＳ５において、ユーザーによりリンク元のグラフィック画面２１とリンク先のグラフィック画面２３とが関連付けられる。これは、例えば、ウィンドウズＡＰＩ７のShell Ｅxecute関数の機能を使うことにより行なわれる。
【００３７】
ステップＳ６において、リンク元のグラフィック画面２１において、シンボル２２の座標２２Ａ付近の領域上にユーザーがマウス５Ｇを動かすことにより、シンボル２２の座標２２Ａに位置してシンボル２２を選択し、イベント（マウスイベント）が生成され、これによりリンク先のグラフィック画面２３がリンク元のグラフィック画面２１の上に開かれる。
【００３８】
次に、本実施の形態の動作について説明する。
先ず、ユーザーにより中央監視装置５の表示装置５Ｆ上にブラウザ８が開かれ、ブラウザ８により表示装置５Ｆに図１３に示す総括画面１２（Ｗｅｂ画面）が表示される。なお、図１３に示す総括画面１２において、「連動制御」とは、あらかじめ設定された信号が、所定の条件を満たしたときに、所定の監視機器をオン／オフする制御である。また、トレンド機能とは、一定時間毎に監視機器からのアナログ値情報をグラフ表示するものである。
【００３９】
ブラウザ８上に監視総合アプリケーション９が表示され、各監視機器６Ａ，・・・６Ｎ，７Ａ，７Ｎ（追加する場合）を介して設備２Ａ，・・・２Ｎ，３Ａの監視，動作制御，操作が行なわれる。
図６ないし図１０のフローチャートにより、監視総合アプリケーション９による総括画面１２上での６Ａ，・・・６Ｎ，７Ａ，７Ｎ（追加する場合）を介しての設備２Ａ，・・・２Ｎ，３Ａ，３Ｎの監視，動作制御等について以下に説明する。
【００４０】
図６は、監視総合アプリケーション９のメインルーチンのフローチャートで、図１１の総括画面１２（Ｗｅｂ画面）上でのユーザーの操作による１連の基本操作手順を示す。
図７は、図６のメインルーチンのフローチャートの基本操作手順上に開かれたメニューＭ１（図１４に図示）のダイヤログボックスで「新規作成」（Ｓ１６）を選択した場合のサブルーチンのフローチャートを示す。
【００４１】
図８は、図６のメインルーチンのフローチャートの基本操作手順上に開かれたメニューＭ１（図１５に図示）のダイヤログボックスで「プロパティ」（Ｓ１７）を選択した場合のサブルーチンのフローチャートを示す。
図９は、図７のメインルーチンのフローチャートの基本操作手順上に開かれたメニューＭ１（図示せず）のダイヤログボックスで「削除」（Ｓ１８）を選択した場合のサブルーチンのフローチャートを示す。
【００４２】
図１０は、図８のサブルーチンのフローチャートにおけるサブルーチン「Ｄ」及びサブルーチン「Ｅ」を示す。
図１１は、図８のサブルーチンのフローチャートにおけるサブルーチン「Ｆ」，サブルーチン「Ｇ」，サブルーチン「Ｈ」を示す。
なお、図１５はサブルーチン「Ｄ」で開かれたダイヤログボックスの監視機器の制御動作の選択項目を示すメニューＭ３を示す。
【００４３】
先ず、図６のメインルーチンについて説明する。
ステップＳ１１において、ユーザーが中央監視装置５の表示装置５Ｆ上に監視総合アプリケーション９を立ち上げると、図１３に示す総括画面１２がリンク元のグラフィック画面２１として表示される。総括画面１２は編集不可の状態になっており、第３者から保護されている。総括画面１２は、図１３に示される。
【００４４】
ユーザーにより以下の操作が行なわれる。
ステップＳ１２において、総括画面１２の画面保護モードが解除される。
ステップＳ１３において、入力されたパスワードが正しいか否かが判断され、正しければ、ステップＳ１４に進む。
ステップＳ１４にて、メニューが開かれる。
【００４５】
図１４に示すメニューＭ１で「新規作成」が選択されると、サブルーチン「Ａ」に進む（ステップＳ１６）。
図１５に示すメニューＭ２で「プロパティ」が選択されると、サブルーチン「Ｂ」に進む（ステップＳ１７）。
メニューで「削除」が選択されると、サブルーチン「Ｃ」に進む（ステップＳ１８）。
【００４６】
そして、サブルーチン「Ａ」，「Ｂ」，「Ｃ」の処理が終了すると、総括画面１２を画面保護モードに戻し（ステップＳ１９）、総括画面１２を編集不可の状態にする（ステップＳ２０）。
図６のメインルーチンのサブルーチン「Ａ」について図７により説明する。
【００４７】
ステップＳ３１において、シンボルのファイルダイヤログ（図示せず）が開かれる。
ステップＳ３２において、多数のシンボルが表示され、その中から適切なシンボルが選択される。
ステップＳ３３において、ステップＳ３２で選択されたシンボル２２（図２，図１８に図示）がリンク元のグラフィック画面２１に貼り付けられ、その画面は、図１８に示される。
【００４８】
次に、ステップＳ３４において、総括画面１２上のメニューＭ１から「プロパティ」が選択されると、「プロパティシート」Ｍ３（図１７に図示）が開く（ステップＳ３５）。
ステップＳ３６において、「プロパティシート」Ｍ３から「リンク」が選択される。
【００４９】
ステップＳ３７において、「プロパティシート」Ｍ３上で「ポイントNo.」が設定される。ここで、「ポイントNo.」はデータベース１３の監視機器６Ａ，・・・６Ｎ，７Ａ，７Ｎ（追加する場合）に対応する番号である。
ステップＳ３８において、監視機器７Ｎを追加する場合、「プロパティシート」Ｍ３の「リンク」の選択により、監視総合アプリケーション９の内部プログラムによりシンボル２２と「ポイントNo.」００９０とが対応付けられる。
【００５０】
ステップＳ３９において、データベース１３に、追加して登録された監視機器７Ｎのシンボル２２，「ポイントNo.」００９０等が格納される。
ステップＳ４０において、リンク元のグラフィック画面２１上に、シンボル２２，データベース１３の監視機器７Ｎの情報２５が表示される（図１９に図示）。
サブルーチン「Ｂ」について説明する。
【００５１】
ステップＳ４１において、メニュー Ｍ１から「プロパティ」が選択され、「プロパティシート」Ｍ３が開く（ステップＳ４２）。
「プロパティシート」Ｍ３から、「全般」（サブルーチン「Ｄ」），「表示」（サブルーチン「Ｅ」）,「リンク」（サブルーチン「Ｆ」），「設定」（サブルーチン「Ｇ」）,「配置」（サブルーチン「Ｈ」）,「文字」（サブルーチン「Ｉ」）のいずれかが選択される。
【００５２】
「全般」（サブルーチン「Ｄ」）では、各監視機器６Ａ，・・・６Ｎ，７Ａ，・・・７Ｎの全般の制御が行なわれる（ステップＳ４３）。
「表示」（サブルーチン「Ｅ」）では、データベースのフィールドに新しい項目が追加設定される（ステップＳ４４）。
「リンク」（サブルーチン「Ｆ」）では、リンク先のグラフィック画面のファイル名或いはＵＲＬが設定される（ステップＳ４５）。
【００５３】
「設定」（サブルーチン「Ｇ」）では、ネットワーク４上に追加された監視機器７Ｎが登録される（ステップＳ４６）。
「配置」（サブルーチン「Ｈ」）では、追加されたシンボル２２の座標２２Ａが手操作で入力できる（ステップＳ４７）。
「文字」（サブルーチン「Ｉ」）では、文字の大きさ（大，中，小）が選択される（ステップＳ４８）。
【００５４】
上述のいずれかのサブルーチンが終了すると、それらの状態がリンク元のグラフィック画面２１に表示される（ステップＳ４９）。
サブルーチン「Ｃ」について図９により説明する。
ステップＳ５１において、データベース１３から適当な監視機器が削除される。
ステップＳ５２において、データベース１３に監視機器が削除された状態が反映される。
【００５５】
ステップＳ５３において、リンク元のグラフィック画面２１から監視機器が削除された状態が反映される。
サブルーチン「Ｄ」について説明する。
【００５６】
ステップＳ５４において、各監視機器６Ａ，・・・６Ｎ，７Ａ，７Ｎの制御項目の選択が行なわれる。制御項目は、例えば図１６に示すようにメニューＭ２に設備２Ａ，・・・２Ｎ，３Ａの「冷房，自動，運転，停止等」のリストが表示され、適宜選択され、監視機器６Ａ，・・・６Ｎ，７Ａ，７Ｎの動作が制御される。
ステップＳ５５において、プロパティシートＭ３の「実行ボタン」（図示せず）が選択される。
【００５７】
ステップＳ５６において、データベース１３に選択された制御項目が反映される。
ステップＳ５７において、リンク元のグラフィック画面２１に設備２Ａ，・・・２Ｎ，３Ａの制御状態が表示される。
このようにして、監視機器６Ａ，・・・６Ｎ，７Ａ，７Ｎの監視，動作制御，操作が行なわれる。
【００５８】
サブルーチン「Ｅ」について説明する。
ステップＳ５８において、データベース１３のフィールドに監視機器６Ａ，・・・６Ｎ，７Ａ，７Ｎの情報が表示され、その追加が可能になる。
ステップＳ５９において、プロパティシートＭ３の「実行ボタン」（図示せず）が選択される。
【００５９】
ステップＳ６０において、データベース１３のフィールドに項目が追加される。
ステップＳ６１において、プロパティシートＭ３にデータベース１３に追加された項目が表示される。
サブルーチン「Ｆ」について説明する。
ステップＳ６２において、プロパティシートＭ３が開かれ、リンク先のグラフィック画面２３のファイル名またはＵＲＬが設定される。
【００６０】
ステップＳ６３において、プロパティシートＭ３の「ＯＫボタン」が選択される。
これにより  シンボル２２と、リンク元のグラフィック画面２１から呼び出されるべきリンク先のグラフィック画面２３とが対応される。リンク先のグラフィック画面２３としては、例えば、データベース１３の追加された監視機器７Ｎの情報２６（図２０に図示）が挙げられる。情報２６は拡張子がピットマップの画像データである。また、リンク先のグラフィック画面２３をデータベース１３の追加された監視機器７Ｎの情報と監視機器の画像データを結合した画面２７（図２１に図示）にすることもできる。画面２７は拡張子がピットマップの画像データである。
【００６１】
サブルーチン「Ｇ」について説明する。サブルーチン「Ｇ」は図５のステップＳ１に対応する。
ステップＳ６４において、プロパティシートＭ３上で、ネットワーク変数値が設定される。ネットワーク変数値は、追加された監視機器７Ｎを特定するものである。
【００６２】
ステップＳ６５において、プロパティシートＭ３の「ＯＫボタン」が選択される。
ステップＳ６６において、データベース１３に追加した監視機器７Ｎが反映される。
ステップＳ６７において、リンク先のグラフィック画面２３に、追加された監視機器の状態が表示される。
【００６３】
サブルーチン「Ｈ」について説明する。
ステップＳ６８において、プロパティシートＭ３上で、シンボル２２の座標２２Ａが設定される。これにより追加されたシンボル２２の座標を手入力で付与することができ、或いは、マウス５Ｇの操作で自動的に検出されたシンボル２２の座標を調整できる。また、手入力により、既存のシンボル１４，１５，１６等の座標をユーザー側で変更できる。
【００６４】
ステップＳ６９において、プロパティシートＭ３の「ＯＫボタン」が選択される。
ステップＳ７０において、リンク元のグラフィック画面２１に、追加されたシンボル２２、及び、リンク先のグラフィック画面２３（追加した監視機器の状態）が表示される。これにより、リンク設定の確認ができる。
【００６５】
上述のサブルーチン「Ａ」，「Ｂ」，「Ｃ」，「Ｄ」，「Ｅ」，「Ｆ」，「Ｇ」，「Ｈ」，「Ｉ」は、適切な手順で選択され、リンク元のグラフィック画面２１とリンク先のグラフィック画面２３の関連付けが行なわれ、追加した監視機器７Ｎの情報がリンク元のグラフィック画面２１データベース１３に入力されたり、監視機器７Ｎを介して設備２Ａ，・・・２Ｎ，３Ａの監視，動作制御，操作を行なうことができる。
【００６６】
設備２Ａ，・・・２Ｎ，３Ａの監視の際、ユーザーによるリンク元のグラフィック画面２１とリンク先のグラフィック画面２３との関連付けが終了すると、シンボル２２の座標２２Ａ付近の領域上でマウス５Ｇを操作（ダブルクリック）することにより、シンボル２２を選択し、リンク先のグラフィック画面２３を開くことが可能になる。
【００６７】
なお、本発明の実施の形態では、上述したようにユーザーにより中央監視装置５の表示装置５Ｆ上にブラウザ８を開く場合について説明したが、エンドユーザーがインタネット１Ａを介して端末装置１Ｂのブラウザ上に図１３に示す総括画面１２（Ｗｅｂ画面）を表示して、中央監視装置５を操作することもできる。また、中央監視装置５と端末装置１Ｂの両方で中央監視装置５を操作することもできる。
【００６８】
以上の如き構成によれば、次の効果を奏する。
第１に、中央監視装置５の監視総合アプリケーション９に４つの技術的手段（シンボル付与手段１７，シンボル座標付与手段１８，リンク設定手段１９，リンク先画面呼出手段２０）を、予め、組み込んでおくので、例えば、ユーザー側で、ネットワーク４上の第２の端末機器３に監視機器７Ｎを追加した場合、ユーザー側が開いたリンク元のグラフィック画面２１上で新たな開発ツールを開くことなく、開いた監視ソフトのリンク元のグラフィック画面２１上で、そのまま、リンク元のグラフィック画面２１とリンク先のグラフィック画面２３との間でのリンク設定ができ、従って、リンク設定のためのウインドウ操作回数を少なくし、リンク設定の操作性を良くし、リンク元のグラフィック画面２１からリンク先のグラフィック画面２３を簡単に開くことができる効果を奏する。
【００６９】
また、ユーザー側がリンク元のグラフィック画面２１の任意の位置で簡単にシンボル２２を貼り付けることができる。
第２に、リンク先のグラフィック画面２３は、追加した監視機器７Ｎの情報を格納したデータベース１２の情報を示す画面であるので、リンク元のグラフィック画面２１から、簡単に監視機器７Ｎの情報を参照することができ、監視機器７Ｎによる設備２Ａ，・・・２Ｎ，３Ａの監視を簡単にすることができる効果を奏する。
【００７０】
第３に、リンク元のグラフィック画面２１上で貼り付けられたシンボル２２の座標２２Ａを、自動的に検出することができ、リンク設定の操作性を良くすることができる効果を奏する。
第４に、リンク元のグラフィック画面２１またはリンク先のグラフィック画面２３の両方は、ビットマップを拡張子として形成された画面であるので、例えば拡張子として圧縮形式（例えば「gif」形式）の画面に比して、解凍操作を行なうことなく、そのまま、グラフィックソフトに取り込んで変更をすることができ、監視機器７Ｎのレイアウトが変更された場合等に表示画面の変更を容易にできる効果を奏する。
【００７１】
なお、本発明の実施の形態は上述した通りであるが、本発明に対して以下の適用例が可能である。
第１に、本実施の形態においては、リンク先のグラフィック画面としてファイル名またはＵＲＬを設定しているが、これに限定されず、例えばアプリケーションでも良い。
【００７２】
第２に、本実施の形態においては、リンク先のグラフィック画面２３は、監視機器７Ｎの情報を格納したデータベース１３の情報を示す画面であるが、リンク先のグラフィック画面２３としてデータベース１３の情報以外の情報でも良く、また、他のアプリケーションにすることもできる。
第３に、本実施の形態においては、リンク設定は１段になっているが、複数段にすることもできる。すなわち、リンク設定されたリンク先のグラフィック画面を次のリンク元のグラフィック画面とし、他のリンク先のグラフィック画面を設定することもできる。
【００７３】
第４に、画面リンクアプリケーション１１の動作を説明するために図５のフローチャートの手順を例に挙げて説明したが、かかる手順に限定されることはなく、図６のフローチャート上で色々の組合せの手順を選定することもできる。
第５に、本実施の形態においては、画面リンクアプリケーションは、イベント駆動型言語を用いているが、これに限定されることなく、オブジェクト指向言語を用いることもできる。
【００７４】
第６に、本実施の形態においては、端末機器の数は２個になっているが、１個でも良く、また、３個以上にすることもできる。
第７に、本実施の形態においては、第２の端子機器３に追加された監視機器７Ｎは、ユーザーによりデータベース１３に登録されるが、監視機器７Ｎを自動的に検出してデータベース１３に登録することもできる。
【００７５】
第８に、本実施の形態においては、監視総合アプリケーション９の開発段階において、中央監視装置５では、専用の開発ツールを用いて、総括画面１２内の定められた位置に、シンボル１４，１５，１６等が例えば監視機器６Ａ，・・・６Ｎをそれぞれ表すものとして事前に配置されている例について説明したが、すべての監視機器についてユーザー側でデータベースに情報を登録し、リンク設定を行なうこともできる。
【００７６】
第９に、本実施の形態においては、ポインティングデバイスの例としてマウス５Ｇを例に挙げて説明したが、これに限定されることなく、例えば、いわゆるノートパソコンに用いられるタッチパネル、トラックポイントでも良い。
第１０に、本実施の形態においては、ハードディスク装置４Ａには、監視総合アプリケーション９を格納し、集中型データベースの例について述べたが、第１，第２の端子機器２，３に監視総合アプリケーション９を格納し、分散型データベースにすることもできることは勿論である。
【００７７】
第１１に、本発明の実施の形態においては、シンボル２２の座標２２Ａ付近の領域は、シンボル２２の領域のみならず、シンボル２２の周辺の領域をも含んでいるとして説明したが、これに限定されることなく、例えば、シンボル２２の領域だけでも良い。
第１２に、本実施の形態においては、リンク元のグラフィック画面２１またはリンク先のグラフィック画面２３の両方がビットマップを拡張子として形成された画面である場合について例を挙げて説明したが、リンク元のグラフィック画面２１またはリンク先のグラフィック画面２３のいずれか一方がビットマップを拡張子として形成された画面である場合についても成立する。
【００７８】
第１３に、本発明の実施の形態には、インターネット１Ａを介してエンドユーザーがブラウザ上で中央監視装置５を操作できるようになっているが、第１，第２の端末機器２，３をエンドユーザーが利用することもできる。すなわち、第１，第２の端末機器２，３をソフトウェアにブラウザを搭載したパーソナルコンピュータで構成し、例えば図示しない々別々のビルの中に設置し、第１，第２の端末機器２，３を、クライアント側として機能させることができ、クライアント側ではＷebサーバから送信されるＨＴＭＬをブラウザにより表示画面上に表示する等の処理を行なう。この場合、第１，第２の端末機器２，３は、ＬＡＮからなるネットワーク４を介してクライアント側として機能することから、設備２Ａ，・・・２Ｎ，３Ａ，３Ｎの監視，動作制御，操作を行なうことができる。
【００７９】
第１４に、本実施の形態においては、ネットワーク４としてＬＡＮを例に挙げて説明したが、これに限定されることはない。
第１５に、本発明の実施の形態においては、第１，第２の端末機器２，３と中央監視装置５の間の通信形態を有線の伝送路（ＬＡＮからなるネットワーク４）を利用する場合を挙げて説明したが、これに限定されることなく、無線通信或いは衛星通信を利用することもできる。
【００８０】
第１６に、本発明の実施の形態においては、第１，第２の端末機器２，３は、有線の伝送路（ＬＡＮからなるネットワーク４）を介して接続されている例について述べたが、無線通信或いは衛星通信を利用することもできる。
【００８１】
【発明の効果】
請求項１ないし請求項５記載の発明によれば、予め、中央監視装置またはリモートステーションからなる端末機器に４つの技術的手段（シンボル付与手段，シンボル座標付与手段，リンク設定手段，リンク先画面呼出手段）を組み込んでおくので、ユーザー側で、ネットワークの端末機器に例えば監視機器を追加した場合、ユーザー側が開いたリンク元のグラフィック画面上で新たな開発ツールを開くことなく、４つの技術的手段を含む監視総合アプリケーションを開いた状態で、リンク元のグラフィック画面上で、そのまま、リンク元のグラフィック画面とリンク先のグラフィック画面との間でのリンク設定ができ、従って、リンク設定のためのウインドウ操作回数を少なくし、リンク設定の操作性を良くし、リンク元のグラフィック画面からリンク先のグラフィック画面を簡単に開くことができる効果を奏する。
【００８２】
また、ユーザー側がリンク元のグラフィック画面の任意の位置で簡単にシンボルを貼り付けることができる効果を奏する。
請求項１ないし請求項５記載の発明によれば、リンク先のグラフィック画面は、監視機器の情報を格納したデータベースの情報を示す画面であるので、リンク元のグラフィック画面から、簡単に監視機器の情報を参照することができ、監視機器による設備２Ａ，・・・２Ｎ，３Ａの監視を簡単に行なうことができる効果を奏する。
【００８３】
請求項３記載の発明によれば、ポインティングデバイスの操作により、リンク元のグラフィック画面上で貼り付けられたシンボルの座標を、開発ツールを用いることなく、自動的に検出することができ、リンク設定の操作性を良くすることができる効果を奏する。
請求項４記載の発明によれば、画面リンクアプリケーションは、ポインティングデバイスのカーソル位置で所定のイベントが行なわれたことで、リンク元のグラフィック画面上の新規設定されたシンボルで示される監視機器の情報イベント処理を行なせ、リンク先のグラフィック画面を開かせる。
【図面の簡単な説明】
【図１】本発明の実施の形態に係わる設備監視システムの全体構成図である。
【図２】同設備監視システムを説明する模式図である。
【図３】図１の中央監視装置のハードウェア構成図である。
【図４】同設備監視システムを動作させるためのソフトウェア階層図である。
【図５】同設備監視システムの動作を説明するフローチャートである。
【図６】監視総合アプリケーションのメインルーチンである。
【図７】図６のメインルーチンのメニューで「新規作成」を選択した場合のサブルーチンのフローチャートである。
【図８】図６のメインルーチンのメニューで「プロパティ」を選択した場合のサブルーチンのフローチャートである。
【図９】図７のメインルーチンのメニューで「削除」を選択した場合のサブルーチンのフローチャートである。
【図１０】図８のサブルーチン「Ｄ」，「Ｅ」のフローチャートである。
【図１１】図８のサブルーチン「Ｆ」，「Ｇ」，「Ｈ」のフローチャートである。
【図１２】データベースの説明図である。
【図１３】建物の平面図を表示した総括画面の図である。
【図１４】メニューを示す図である。
【図１５】メニューを示す図である。
【図１６】メニューを示す図である。
【図１７】プロパティシートを示す図である。
【図１８】リンク元のグラフィック画面にシンボルを貼り付けた状態を示す説明図である。
【図１９】リンク元のグラフィック画面にデータベースの監視機器の情報を表示した状態を示す図である。
【図２０】データベースに追加された監視機器の情報を示す説明図である。
【図２１】データベースに追加された監視機器の情報と監視機器の画像データを結合した画面を示す説明図である。
【符号の説明】
１  設備監視システム
１Ａ  インターネット
２  第１の端末機器
３  第２の端末機器
４  ネットワーク
５  中央監視装置
５Ｆ  表示装置
５Ｇ  マウス（ポインティングデバイス）
６Ａ  監視機器
６Ｎ  監視機器
７Ａ  監視機器
７Ｎ  監視機器
９  監視総合アプリケーション
１１  画面リンクアプリケーション
１２  総括画面
１３  データベース
１７  シンボル付与手段
１８  シンボル座標付与手段
１９  リンク設定手段
２０  リンク先画面呼出手段
２１  リンク元のグラフィック画面
２２  シンボル
２２Ａ  座標
２３  リンク先のグラフィック画面
【図１】
0004402279.tif 000002
【図２】
0004402279.tif 000003
【図３】
0004402279.tif 000004
【図４】
0004402279.tif 000005
【図５】
0004402279.tif 000006
【図６】
0004402279.tif 000007
【図７】
0004402279.tif 000008
【図８】
0004402279.tif 000009
【図９】
0004402279.tif 000010
【図１０】
0004402279.tif 000011
【図１１】
0004402279.tif 000012
【図１２】
0004402279.tif 000013
【図１３】
0004402279.tif 000014
【図１４】
0004402279.tif 000015
【図１５】
0004402279.tif 000016
【図１６】
0004402279.tif 000017
【図１７】
0004402279.tif 000018
【図１８】
0004402279.tif 000019
【図１９】
0004402279.tif 000020
【図２０】
0004402279.tif 000021
【図２１】
0004402279.tif 000022